(57)【要約】      （修正有）【課題】モデル玩具が外部から見え、ブリスターパック内で移動しないモデル玩具の郵送パッケージを提供する。【解決手段】台紙１の一面に、内容物であるモデル玩具２の一部をガタなく収容する補助ケース３に収容した状態でブリスターケース４内に収容し、この状態において前記ブリスターケースによってブリスターパックし、かつ、前記台紙の表裏面の何れかに送付先の宛て名欄を設け、また、前記台紙に、商品飾り用の吊り下げバーに対して係合可能な係合溝１４を前記台紙の上部に形成した。【選択図】図１
0003155797.tif 000002
【実用新案登録請求の範囲】
【請求項１】
台紙の一面に、内容物であるモデル玩具の一部をガタなく収容する補助ケースに収容した状態でブリスターケース内に収容し、この状態において前記ブリスターケースによってブリスターパックし、かつ、前記台紙の表裏面の何れかに送付先の宛て名欄を設け、また、前記台紙に、商品飾り用の吊り下げバーに対して係合可能な係合溝を前記台紙の上部に形成したことを特徴とするモデル玩具の郵送パッケージ。
【請求項２】
前記係合溝は、台紙の上方が開口された縦溝と、該縦溝の下部から水平方向に延びる横溝と、該横溝の終端から前記モデル玩具の重量を含む台紙の重心位置となる部分に前記吊り下げバーと係合される係合孔を形成したことを特徴とする請求項１記載のモデル玩具の郵送パッケージ。
【請求項３】
前記ブリスターケースの高さを郵便ポストの郵便物挿入開口部の高さより小さくしたことを特徴とする請求項１記載のモデル玩具の郵送パッケージ。
【考案の詳細な説明】
【技術分野】
【０００１】
本考案は、台紙にモデル玩具をブリスターパックすると共に台紙の表裏面の何れかに送付先の住所記載欄を設けたパッケージであって、前記住所記載欄に住所宛て名を記載することでそのまま郵送にて送ることができ、また、商品飾り用の吊り下げバーに対して係合可能な係合溝を前記台紙の上部に形成するとともに内容物であるモデル玩具がガタつくことのないように補助ケースを用いたことで、前記パッケージを整然と配列することができ、ブリスターパック内で内容物がガタつかないモデル玩具の郵送パッケージに関する。
【背景技術】
【０００２】
従来における小物を郵送する第１の先行技術文献としては実開平６−８６９６５号公報に開示されている考案がある。この考案は、旅行先等において、その土地の名物である土産物等の小物を厚紙等によって形成した包装箱に収納し、この包装箱に宛て名記入欄を設け、この記入欄に送付先の住所等を記載して郵送するようにしたものである。
【０００３】
また、第２の先行技術文献としては特開平１０−２３６５２５号公報に記載された発明がある。この発明は、商品等の宣伝のためのＤＭに使用する商品を台紙に載せ、該台紙に商品を載せた状態において紙製箱状蓋の周辺を接着剤で固定し、また、紙製箱状蓋の天面に宛て名記入欄を印刷し、この記入欄に送付先の住所等を記載して郵送するようにしたものである。
【０００４】
さらに、第３の先行技術文献としては実登第３００６８９４号公報に記載された考案がある。この考案は、台紙と一体化させたブリスターパック内に商品を収納して、そのブリスターパッケージ自体に宛て名記入欄を印刷し、この記入欄に送付先の住所等を記載して郵送するようにしたものである。
【先行技術文献】
【特許文献】
【０００５】
【特許文献１】実開平６−８６９６５号公報
【特許文献２】特開平１０−２３６５２５号公報
【特許文献３】実登第３００６８９４号公報
【考案の概要】
【考案が解決しようとする課題】
【０００６】
ところで、前記した第１、第２の先行技術文献にあっては、厚紙等の包装箱に小物を収納して郵送するものであることから、受取人が見て内部の物品が何であるかの判断が包装箱から取り出さないと判別が行えず、楽しみが半減するといった問題があり、また、前記包装箱に対して郵送する物品が軽量であったり、小さな場合でも大きな包装箱を使用しなければならないため、包装箱の重量だけ郵送費が高くなるといった問題があった。
【０００７】
また、前記した第３の先行技術文献にあっては、受取人が内部の物品が何であるかの判別は外観から直ちに行えるが、内容物がブリスターパック内で移動してしまう為、郵送中の衝撃、振動などによって内容物が破損したり損傷したりしてしまう恐れがあった。
【０００８】
本考案は前記した問題点を解決せんとするもので、その目的とするところは、台紙に対してモデル玩具の大きさに応じたブリスターパックによって包装するこができるので、無駄を無くして郵送費を軽減することが可能であると共にモデル玩具が外部から見えることで、受取人は受け取ると同時に内容物が何であるかを知ることができ、さらに内容物がブリスターパック内で移動することがないように工夫したモデル玩具の郵送パッケージを提供せんとするにある。
【課題を解決するための手段】
【０００９】
本考案に係るモデル玩具の郵送パッケージは、前記した目的を達成せんとするもので、請求項１の手段は、台紙の一面に、内容物であるモデル玩具の一部をガタなく収容する補助ケースに収容した状態でブリスターケース内に収容し、この状態において前記ブリスターケースによってブリスターパックし、かつ、前記台紙の表裏面の何れかに送付先の宛て名欄を設け、また、前記台紙に、商品飾り用の吊り下げバーに対して係合可能な係合溝を前記台紙の上部に形成したことを特徴とする。
【００１０】
請求項２の手段は、前記した請求項１において、前記係合溝は、台紙の上方が開口された縦溝と、該縦溝の下部から水平方向に延びる横溝と、該横溝の終端から前記モデル玩具の重量を含む台紙の重心位置となる部分に前記吊り下げバーと係合される係合孔を形成したことを特徴とする。
【００１１】
請求項３の手段は、前記した請求項１において、前記ブリスターケースの高さを郵便ポストの郵便物挿入開口部の高さより小さくしたことを特徴とする。
【考案の効果】
【００１２】
本考案は前記したように、台紙の一面に、内容物であるモデル玩具の一部をガタなく収容する補助ケースに収容した状態でブリスターケースによってブリスターパックし、かつ、前記台紙の表裏面の何れかに送付先の住所記載欄を設けたことにより、購入者は住所欄に宛て先など記入し切手を添付することで郵送可能なので、包装箱等に収納せずに送ることが可能となり郵送のための面倒な作業が必要なく、また、台紙に商品飾り用の吊り下げバーに対して係合可能な係合溝を前記台紙の上部に形成したことで、玩具店等の販売状態で購入者が見やすくなり、購入者が商品を探す場合に簡単に確認することができると共に、モデル玩具が郵送時の振動等によってブリスターケース内でガタ付くことがないので、モデル玩具が損傷したりするのを防止することができる。
【００１３】
また、係合溝の形状を台紙の上方が開口された縦溝と、該縦溝の下部から水平方向に延びる横溝と、該横溝の終端から前記モデル玩具の重量を含む台紙の重心位置となる部分に前記吊り下げバーと係合される係合孔としたことで、吊り下げバーに台紙を吊り下げた状態で全てが傾くことなく整然と配列されるので、隣接する商品どうしが重なるようなことがない。
【００１４】
さらに、ブリスターケースの高さを郵便ポストの郵便物挿入開口部の高さより小さくすることで、郵便局まで行かなくとも郵便ポストからの投函で送ることが可能となり、従って、郵送の手間を省くことができる等の効果を有するものである。
【図面の簡単な説明】
【００１５】
【図１】本考案に係るモデル玩具の郵送パッケージの正面図である。
【図２】図１の背面図である。
【図３】店内に配置された吊り下げバーに吊り下げた状態の側面図である。
【考案を実施するための形態】
【００１６】
以下、本考案に係るモデル玩具の郵送パッケージの実施例を図面と共に説明する。
１は厚紙で形成された台紙にして、表面側の空白にはモデル玩具の遊び方や取扱説明等の記載欄が形成されている。２はダイキャストや樹脂で構成された自動車等のモデル玩具（実施例では自動車玩具）である。
【００１７】
３は前記モデル玩具をガタなく収納するための凹部３１が形成された透明な合成樹脂で形成された補助ケースにして、その形状はモデル玩具の長さ方向がガタなく挿入される幅に形成され、また、モデル玩具の高さ方向については隙間が生じるような高さに形成され、さらに、モデル玩具の奥行き方向は台紙に後述するブリスターパックを取付けた状態においてモデル玩具が奥行き方向に移動しないように突出部３２が形成されている。
【００１８】
なお、前記高さ方向に隙間が生じるような凹部３１を形成したのは、長さおよび奥行き方向の長さは同じに形成され、高さ方向の長さが異なる他のモデル玩具も同じ補助ケースを使用してブリスターパックできるようにするためである。
【００１９】
４は前記補助ケース３の凹部３１にモデル玩具２を収容した状態で、モデル玩具２と補助ケース３を収納するブリスターケースにして、該ブリスターケース４の開口部には鍔部４１が形成されており、この鍔部４１を利用して前記台紙１の下方に接着剤等によって貼着してブリスターパックとする。
【００２０】
このような構造とすることで、モデル玩具２の長さ方向は補助ケース３によってガタが防止されており、また、モデル玩具２の奥行き方向は補助ケース３をブリスターケース４内に挿入し、かつ、ブリスターケース４を台紙１に固定することでガタが防止され、また、モデル玩具２の高さ方向はモデル玩具２の長さ方向と奥行き方向はモデル玩具２と補助ケース３との接触部の摩擦抵抗によってガタが防止される。従って、郵送時の振動によってもモデル玩具２がブリスターケース４内で移動することがなく、モデル玩具２に傷が付いたり損傷することが防止できる。
【００２１】
前記台紙１の裏面には郵送する場合の宛て名欄１２が印刷または張り付けられ、宛て名欄１２の下部には通信文記載欄１３が設けられている。
【００２２】
また、台紙１の上方には台紙の上方が開口された縦溝１４ａと、該縦溝１４ａの下部から水平方向に延びる横溝１４ｂと、該横溝１４ｂの終端から前記モデル玩具２の重量を含む台紙１の重心位置となる部分に前記吊り下げバーａと係合される係合孔１４ｃとからなる係合溝１４が形成されている。
【００２３】
そして、店内に設置された吊り下げバーａに台紙１の前記係合溝１４を利用して台紙１を吊り下げるには、先ず、縦溝１４ａを吊り下げバーａに対して係合した状態で持ち上げ、縦溝１４ａと横溝１４ｂとの折曲部に達したなら横溝１４ｂに沿って台紙１を横方向に移動し、該横溝１４ｂと係合孔１４ｃとの折曲部に達したなら台紙１を押し下げることで吊り下げバーａは重心位置に形成されている係合溝１４ｃに係合されるので、台紙１は吊り下げバーａに対して垂直状態で吊り下げられる。従って、横方向に隣接する他の台紙とが重なることがないので、目的とする台紙１をスムーズに引き出して取り出すことが可能となる。
【００２４】
なお、前記した実施例にあっては、宛て名欄１２を台紙１の裏面側に形成したものを示したが、宛て名欄１をモデル玩具をブリスターパックした表面側に記載し、遊び方や取扱説明等の記載欄を裏面側に記載してもよい。
【符号の説明】
【００２５】
１          台紙
１１        記載欄
１２        宛て名欄
１３        通信文記載欄
１４        係合溝
１４ａ      縦溝
１４ｂ      横溝
１４ｃ      係合孔
２          モデル玩具
３          補助ケース
３１        凹部
３２        突出部
４          ブリスターケース
４１        鍔部
【図１】
0003155797.tif 000003
【図２】
0003155797.tif 000004
【図３】
0003155797.tif 000005